(57)【要約】【技術課題】高電位を周囲の環境に影響されずに安定して人体の局部位の表皮に効率良く導入できる。【解決手段】高電位導入プローブに高電位導入機能とアース電位形成機能を持たせ、このアース電位形成部２３を使用者が握ることにより高電位導入プローブ２０に高電位部とアース電位部とを形成する。【選択図】図６
2011101795.tif 000002
【特許請求の範囲】
【請求項１】
電源本体と、高電位導入プローブとを備え、前記電源本体と前記高電位導入プローブの電源入力端とは低電圧用コードを介して接続され、かつ前記高電位導入プローブは、入力端子に印加される電圧により駆動して高周波を出力する発振回路と、該発振回路に接続されて２００Ｖ〜８００Ｖに昇圧された高電位を出力するための高電位生成トランスとを備える高電位導入形成回路とを備え、該高電位導入形成回路からの高電圧出力を高電圧用導線を介してヘッド部の通電導子に印加し、かくして高電位導入形成回路と通電導子との間が高電位側となり、一方高電位導入形成回路と電源入力端との間が低電圧側となり、人体の表面に集中して高電位を導入してなる高電位導入プローブ装置。
【請求項２】
前記高電位生成トランスは、前記高電位導入プローブの入力端子を電源入力端側に、その出力端子を前記通電体側に配置することを特徴とする請求項１記載の高電位導入高電位導入プローブ装置。
【請求項３】
前記高電位生成トランスは、高周波４５ｋＨｚから５８ｋＨｚ、この好ましくは５５〜６０ｋＨｚで駆動して２００Ｖ〜８００Ｖに昇圧された高電位を出力することを特徴とする請求項１記載の高電位導入プローブ装置。
【請求項４】
前記通電導子は、前記高電位導入プローブに連結されていることを特徴とする請求項１記載の高電位導入プローブ装置。
【請求項５】
前記高電位側と前記低電圧側との境界となる高電位生成トランスが配置される位置にフィンガー・ガイドを設けることを特徴とする請求項１記載の高電位導入プローブ装置。
【請求項６】
前記電源入力端と前記高電位生成トランスの入力端子との間にアース電位形成部が形成され、該アース電位形成部に握持部を設けることを特徴とする請求項１記載の高電位導入プローブ装置。
【請求項７】
前記通電体は、樹脂等の外装体の中に設けられており、該通電体から外装体表面までの間隔は、２ｍｍ〜５ｍｍを有することを特徴とする請求項１記載の高電位導入プローブ装置。
【請求項８】
前記前記高電位導入プローブは、前記ヘッド部を振動させるための振動モータを備えることを特徴とする請求項１記載の高電位導入プローブ
【発明の詳細な説明】
【技術分野】
【０００１】本発明は、災顔等の皮膚に高電位導入するための高電位導入プローブ装置に関する。
【背景技術】
【０００２】従来の電位治療器は、図１に示すように電位治療器本体１０と、人体の肩等の部位に当てる通電導子１２とを備えている。電源本体１０は、高周波・高圧発生回路１４を備え、そして通電導子１２は、通電体１１を備える。電源本体１０と患者の肩等に直接当たる通電導子１２とは高電圧用コード１３を用いて接続されている。この場合、通電導子を持つことで使用者の人体は、常に高電位となり、顔に接触させても人体の電位が高くなるのみで肩との接触部分は電位よりも微電流が手に持った通電導子から導入される。使用者の人体の高電位は、アース側としての部屋の天井、床あるいは壁との間で生じ、よって、使用場所で人体の電位分布が変化されやすく、不安定となり再現性や常に同じ効果が得られなくなり、所定の部位に安定した有効な治療に必要な電位を印加することができない。さらに、通電導子を持って治療する施術者には、常に電位がかかった状態となり好ましくはない。本体１０と通電導子１２とは、高電圧用コード１３を用いて接続されていたため高耐圧用のコネクタを用いる必要があった。【０００３】また、図２及び図３に示すように、電位治療器に温熱効果を備えた電源本体１０の場合、電源本体１０と通電導子１２との接続において、電源本体１０に内蔵されている高周波・高圧発生回路１４と通電導子１２内の通電体１１とは高電圧用コード１３で接続され、温熱用ヒータ回路１６と通電導子１２内の発熱体１５とは一般用の低電圧用コード１７でそれぞれ別々に接続されている。一方、図３に示すように、高電圧用コード１３と低電圧用コード１７とは一体化された特殊なコード１８により接続されている。このように特殊コード１８は、電位差のある２本のコードを近接して一体化して配設しているため、本来施術者に流れる電流が、温熱側のコードに漏れ、漏れ電流が大きくなり、また電磁誘導が生じて集中電位が生じにくく所定の部位に有効な治療電位を印加できない欠点があった。
【発明の概要】
【発明が解決しようとする課題】
【０００４】本発明の目的は、従来の欠点を鑑みてなされたもので、高電位導入プローブに高電位導入部とアース電位形成部とを設け、使用者が握る握持部にアース電位を形成することにより、高電位は周囲の環境に影響されずに安定して人体の局部位の表皮に高電位を効率良く導入でき、よって皮膚組織内部のイオン交換又は電子交換によるイオン分子振動又は電位刺激の効果を得ることができる。所定の部位に安定した有効な治療に必要な電位を印加することができない。さらに、通電導子を持って治療する施術者には、常に電位が帯電しない状態となり施術者にとって好ましい。【０００５】さらに電源本体と高電位導入プローブとを接続するコードに高電圧用コードを用いる必要がなくなり通常の低電圧用コードを使用することができるため高耐圧用コネクタが不要となり装置自身が安価になる。また、高電位が導入される通電導子に温熱作用をもたせる場合でも、電源本体と高電位導入プローブとを接続するコードは、それぞれ低電圧用コードを２本用いればよく、高電圧用コードと低電圧用コードを用いる従来に比べてコード間の漏れ電流をほとんどなくすことができ、効率の良い電位治療、さらには温熱治療を行うことができる顔の皮膚等へ高電位導入を導入するための高電位導入プローブ装置を提供することを目的とする。
【課題を解決するための手段】
【０００６】請求項１に係る高電位導入プローブ装置は、電源本体と、高電位導入プローブとを備え、前記電源本体と前記高電位導入プローブの電源入力端とは低電圧用コードを介して接続され、かつ前記高電位導入プローブは、入力端子に印加される電圧により駆動して高周波を出力する発振回路と、該発振回路に接続されて２００Ｖ〜８００Ｖに昇圧された高電位を出力するための高電位生成トランスとを備える高電位導入形成回路とを備え、該高電位導入形成回路からの高電圧出力を高電圧用導線を介して高電位導入通電導子に印加し、かくして高電位導入形成回路と高電位導入通電導子との間が高電位側となり、一方高電位導入形成回路と電源入力端との間が低電圧側となり、人体の表面に集中して高電位を導入する。【０００７】請求項２に係る高電位導入プローブ装置において、前記高電位導入通電導子は、前記高電位導入プローブに連結されていることを特徴とする。【０００８】請求項３に係る高電位導入プローブ装置において、前記高電位側と前記低電圧側との境界となる高電位生成トランスが配置される位置にフィンガー・ガイドを設けることを特徴とする。【０００９】請求項４に係る高電位導入プローブ装置において、前記高電位生成トランスは、前記高電位導入プローブの入力端子を電源入力端側に、その出力端子を前記通電体側に配置することを特徴とする。【００１０】請求項５に係る高電位導入プローブ装置において、前記電源入力端と前記高電位生成トランスの入力端子との間にアース電位形成部が形成され、該アース電位形成部に握持部を設けることを特徴とする。【００１１】請求項６に係る高電位導入プローブ装置において、前記通電体は、樹脂等の外装体の中に設けられており、該通電体から外装体表面までの間隔は、２ｍｍ〜５ｍｍを有することを特徴とする。
【図面の簡単な説明】
【００１２】
【図１】従来の電位治療器を示す概略構成図である。
【図２】従来の電位治療器を示す他の概略構成図である。
【図３】従来の電位治療器を示すさらに他の概略構成図である。
【図４】本発明に係る高電位導入プローブ装置を示す概略構成図である。
【図５】本発明に係る高電位導入プローブ装置を示す他の概略構成図である。
【図６】本発明に係る高電位導入プローブ装置の高電位導入プローブを示す概略図である。
【図７】本発明に係る高電位導入プローブの他の通電導子を示す概略断面図である。
【図８】本発明に係る他の高電位導入プローブを示す要部概略断面図である。
【図９】第８図の高電位導入プローブを示す要部平面図である。
【図１０】本発明に係る高電位導入プローブ装置の高電位導入プローブの高周波・高圧発生回路及び通電回路を示す回路図である。
【図１１】本発明に係る太陽電池を組込んだ高電位導入プローブの高周波・高圧発生回路及び通電回路を示す回路図である。
【図１２】他の実施例を示す高電位導入プローブの内部構造の配置概略図である。
【発明を実施するための最良の形態】
【００１３】図４は、本発明に係る高電位導入プローブ装置を示す基本構成図である。高電位導入プローブ装置は、電源本体１０と高電位導入プローブ２０とを備え、電源本体１０と高電位導入プローブ２０とは、低電圧用コード１７で接続されている。高電位導入プローブ２０は、高電位導入形成回路３０と通電体２４を備える。高電位導入形成回路３０と通電体２４とは高電圧用導線２８で接続されている。図５において、高電位導入プローブ２０は、高電位導入形成回路３０と通電体の他に発熱体１５を備える。この場合でも高電位導入形成回路３０と通電体２４とは高電圧用導線２８で接続されている。そして、電源本体は、高電位導入形成回路３０及び発熱体１５とそれぞれ低電圧用コードの一般コード１７で接続される。なお、高電位導入プローブ２０とは切り離して別に通電体２４を内蔵した通電導子１２を設けてもよい。【００１４】本発明に係る高電位導入プローブによれば、高電位導入プローブに高電位導入機能とアース電位形成機能を持たせ、このアース電位形成部２３を使用者が握ることにより高電位導入プローブ２０に高電位部とアース電位部とを形成させる。高電位導入機能とアース電位形成機能との距離を接近させることができ、よって高電位は周囲の環境に影響されずに安定にすることにより人体の局部位の表皮に高電位を効率良く導入でき皮膚組織内部のイオン交換又は電子交換によるイオン分子振動又は電位刺激の効果を得ることができる。特にハンディタイプの美顔器等においては、より効率良く表皮に高電位を導入できる。
【実施例】
【００１５】以下、本発明に係る高電位導入プローブ装置を図面を参照して詳述する。
図６は、本発明に係る高電位導入プローブ装置の高電位導入プローブの概略図を示す。高電位導入プローブ２０は、電源本体１０と低電圧用コード１７で接続され、使用者が手で握るための握持部２２と、握持部２２の先端側に設けられたヘッド部２１とを備える。ヘッド部２１には通電導電子１２が取り付けられている。握持部２２領域外のヘッド部２１には高周波・高電圧を形成する高電位導入形成回路３０が組み込まれており、通電導子１２には、通電体２４とその高電位導入用通電回路３２が組み込まれている。高電位導入プローブのヘッド部２１と握持部２２とは樹脂等で一体成形して作られている。高電位導入形成回路３０と高電位導入用通電用回路３２とは入出端子４４、４６を介して高電圧用導線２８で接続されている。なお、高電位導入形成回路３０は、ヘッド部２１でなく通電導子１２に設けてもよい。【００１６】高電位導入形成回路３０と通電導子１２との間が高電位側となり、一方高電位導入形成回路３０と電源入力端３４との間が低電圧側となる。握持部２２は、高電位の対極となる低電位を形成するアース電位形成部２３が形成される。高電位側と低電位側との間、すなわち高電位導入プローブの高電位導入形成回路３０と握持部２２のアース電位形成部２３との間にフィンガー・ガイド（電位バリヤー）１９を設けてもよい。使用者が、アース電位形成部２３を手で握持することで人体がア−ス電位となる。よって、高電位部とアース電位部とが完全に分かれた形で高電位差が確立される。そのため安定した高電位導入効果が得られる。なお、握持部２２に高電位の対極となるアース電位を形成するために握持部２２の内面に銅箔等のフィルムを取り付けてもよい。高電位導入形成回路３０は、握持部２２のアース電位形成部２３からできるだけ離れた位置に配設されることが好ましい。【００１７】通電導子１２は、円盤形状を有し、顔等の皮膚に高電位を導入するための通電体２４が組み込まれている。通電体２４は、高電位導入プローブのヘッド部２１と連結されており、外装体２６としての樹脂等で囲ぎょうされている。導電体と外装体表面とは、２ｍｍ〜５ｍｍの間隔をもって設けられていることが好ましい。この間隔が近いほど局所電位集中がしやすいが、加工の制約上２ｍｍ〜５ｍｍの間隔をもって作られている。【００１８】図７は、顔等の皮膚に高電位を導入するための他の通電導子１２の要部断面図を示す、通電導子１２は、通電体２４と銅薄製の電極２５とをプラスチック製の外装体２６の内部に組み込んで形成される。かくして、マイナスに帯電した通電体２４は、電極２５を介して皮膚にマイナスの電位を与えることができる。【００１９】図８は、他の高電位導入プローブのヘッド部の概略断面図を示す。ヘッド部は、ベース基板となるアクリル板上に通電体２４を固定して載置して、その周囲に高電圧用導線２８を配置して、樹脂等の外装体２６内に組み込まれている。なお、図６及び図８の高電位導入プローブ２０に発熱体を組み込む場合は、プローブもしくはヘッド部に通電体の他に発熱体を組み込むことで得られる。【００２０】図９は、図８の高電位導入プローブの概略平面図を示す。高電位導入プローブ２０は、高電位導入形成回路を組込んだ握持部２２と楕円形状のヘッド部２１とを備える。ヘッド部２１に通電体２４が組み込まれており、電位導入形成回路３０の入出力端子４４、４６と通電体２４の高電位導入用通電回路３２とは高電圧用導線２８で接続されている。高電圧用導線２８は、ヘッド部２１の楕円形状に沿って配設されている。【００２１】図１０は、高電位導入プローブの高電位導入形成回路及び高電位導入用通電回路を示す。高電位導入形成回路３０は、発振回路３６と、コンデンサ３７と、高電位生成トランス３８とを備える。電源本体から低電圧用コード１７を介して高電位導入プローブの電源入力端子３４に入った１２ボルトの直流電圧は、インバータトランジスタからなる発振回路３６を駆動して高周波４５ｋＨｚら５８ｋＨｚ、この好ましくは５５〜６０ｋＨｚを出力し、そしてコンデンサ３７を介して該出力により高周波高電位生成トランス３８を駆動して２００Ｖ〜８００Ｖに昇圧された高電位を出力する。さらにインバータトランジスタ３６が同時に駆動するのを防ぐためのチョークコイル４０と、高電位導入形成回路３０が動作時に点灯するＬＥＤ４２とを備える。高電位導入形成回路３０からの高電圧出力の出力端４４と導電体２４の入力端４６とが高電圧用導線２８を介して接続され、高電位が通電体２４に印加される。高電位生成トランス３８は、その入力端子を前記アース電位形成部側に、その出力端子を高出力側に配置する。アース電位形成部２３は、高電位導入形成回路３０の高電位生成トランス３８と電源入力端子３４との間の低電圧側の手で握持する領域に形成される。【００２２】図１１は、太陽電池を組み込んだ高電位導入プローブの高電位導入形成回路の駆動を行うための回路を示す。
太陽電池を組み込んだ回路は、太陽電池６０の電力を蓄電するための蓄電用コンデンサ６２と、定電圧用ダイオード６４と、逆流防止ダイオード６６と、出力用スイッチ６８とを備え、太陽電池の出力は、蓄電用コンデンサ６２を介してインバータで構成されるトランジスタからなる発振回路３６に接続されている。なお、高電位導入プローブの高電位導入形成回路３０の駆動は、上記図１０と説明と同じであるので省略する。【００２３】  図１２は、他の実施例を示す高電位導入プローブの内部構造の配置概略図である。該図は、上部カバー７４、下部カバー７６を備え、上部カバーには、電位動作を表示する電位動作表示用のＬＥＤ４２と、アース電位形成部２３を構成するアルミ箔を配設している。下部カナー７６の内部にはヘッド部２１に微振動を与えるための振動モータ７０が、ヘッド部２１の下方位置に配設されている。振動モータは、駆動源である下部カバー内に配設されたＤＣ電位及びモータ用トランスに接続されている。この下部カバー内には、上述した高電位生成トランス３８、アース電位形成部２３であるアルミ箔を配設している。
【産業上の利用可能性】
【００２４】美顔のマッサージ、皮膚のマッサージ、肩や腰の疲労改善、
【符号の説明】
【００２５】電源本体１０
通電体１１
通電導子１２
高電圧用コード１３
高周波・高圧発生回路１４
発熱体１５
温熱用ヒータ回路１６
低電圧用コード１７
特殊コード１８
フィンガー・ガード１９
高電位導入プローブ２０
ヘッド部２１
握持部２２
アース電位形成部２３
通電体２４
電極２５
外装体２６
皮膚２７
高圧用導線２８
高電位導入回路３０
高電位導入用導電体回路３２
電源入力端３４
発振回路３６
コンデンサ３７
高電位生成トランス３８
チョークコイル４０
ＬＥＤ４２
出力端４４
入力端４６
デジタルサーモセンサ４８
サーモスタット５０
抵抗５２
太陽電池６０
蓄電用コンデンサ６２
定電圧用ダイオード６４
逆流防止ダイオード６６
出力用スイッチ６８
振動モータ７０
ＤＣ電位及びモータ用トランス７２
上部カバー７４
下部カバー７６
【図１】
2011101795.tif 000003
【図２】
2011101795.tif 000004
【図３】
2011101795.tif 000005
【図４】
2011101795.tif 000006
【図５】
2011101795.tif 000007
【図６】
2011101795.tif 000008
【図７】
2011101795.tif 000009
【図８】
2011101795.tif 000010
【図９】
2011101795.tif 000011
【図１０】
2011101795.tif 000012
【図１１】
2011101795.tif 000013
【図１２】
2011101795.tif 000014